(57)【要約】【課題】丸録りされたコンテンツの中から所望のコンテンツを再記録する際に、ユーザ自身が記録装置のリソースを考慮する必要があり、不便であるという課題があった。【解決手段】実施形態の録画装置は、複数の放送番組に係る映像信号を同時に受信し、記録媒体に連続的に記録する第１の映像記録手段を備える。また、予約に基づいて、前記記録媒体に記録された複数の放送番組の中から指定された所定の番組を抽出し、記録媒体に再記録する第２の映像記録手段を備える。また、録画装置の動作に係る負荷のタイミングを予測する負荷予測手段を備え、所定の番組の再記録は、予測された録画装置の負荷のタイミングに基づいて行われるように構成している。【選択図】  図２
2011244269.tif 000002
【特許請求の範囲】
【請求項１】
放送番組を録画する録画装置において、
複数の放送番組に係る映像信号を同時に受信し、記録媒体に連続的に記録する第１の映像記録手段と、
予約に基づいて、前記記録媒体に記録された複数の放送番組の中から指定された所定の番組を抽出し、記録媒体に再記録する第２の映像記録手段と、
録画装置の動作に係る負荷のタイミングを予測する負荷予測手段を備え、
前記所定の番組の再記録は、前記予測された録画装置の負荷のタイミングに基づいて行われることを特徴とする録画装置。
【請求項２】
前記録画装置の負荷は、ユーザの使用頻度に基づいて予測されることを特徴とする請求項１に記載の録画装置。
【請求項３】
前記録画装置の負荷は、放送休止時間に基づいて予測されることを特徴とする請求項１に記載の録画装置。
【請求項４】
前記放送番組に係る映像信号を記録媒体に連続的に記録する際の、次の映像信号が記録媒体に上書きされるタイミングを予測する上書き予測手段をさらに備え、
前記予測された上書きのタイミングと前記再記録のタイミングを並べて表示可能に出力することを特徴とする請求項１に記載の録画装置。
【請求項５】
録画装置の動作に係る負荷のタイミング予測を適宜実施し、変更されたタイミングに基づいて前記所定の番組の再記録のタイミングを変更することを特徴とする請求項１に記載の録画装置。
【請求項６】
請求項１乃至５のいずれか一つに記載された録画装置に、さらに映像を表示する表示装置を備え、前記記録媒体に記録された映像を表示する映像表示装置。
【請求項７】
複数の放送番組に係る映像信号を同時に受信し、記録媒体に連続的に記録するステップと、
予約に基づいて、前記記録媒体に記録された複数の放送番組の中から指定された所定の番組を抽出し、記録媒体に再記録するステップと、
録画装置の動作に係る負荷のタイミングを予測するステップを備え、
前記所定の番組の再記録は、前記予測された録画装置の負荷のタイミングに基づいて行われることを特徴とする録画方法。
【請求項８】
前記録画装置の負荷は、ユーザの使用頻度に基づいて予測されることを特徴とする請求項７に記載の録画方法。
【請求項９】
前記録画装置の負荷は、放送休止時間に基づいて予測されることを特徴とする請求項７に記載の録画方法。
【請求項１０】
放送番組を録画する録画装置において、
複数の放送番組に係る映像信号を同時に受信し、記録媒体に連続的に記録する第１の映像記録手段と、
前記記録媒体に記録された複数の放送番組の中から指定された所定の番組を抽出し、記録媒体に再記録するための予約が設定される予約手段と、
前記予約に基づいて、前記記録媒体に記録された複数の放送番組の中から指定された所定の番組を抽出し、記録媒体に再記録する第２の映像記録手段を備えることを特徴とする録画装置。
【発明の詳細な説明】
【技術分野】
【０００１】
本発明の実施形態は、複数の放送番組を同時に受信し、記録する録画装置に関する。
【背景技術】
【０００２】
現在、複数の放送番組を同時に受信し、受信した複数の放送番組をＨＤＤ等の蓄積装置に連続的に記録する機能（丸録り）を備えた映像表示装置が実用化されている。
【０００３】
しかし、蓄積装置の容量には限りがあるため、丸録りされた映像であっても、古い時間に録画された映像データを消しながら新しい番組を録画する等の処理が必要である。このため、所定時間が経過すると、蓄積装置に記録された所望の番組が消されてしまう恐れがある。
【０００４】
そこで、ユーザ自身が、丸録りされた映像が消去される前に、所望の番組を再記録する必要があるが、丸録りに記録装置のリソースが割かれるため、記録装置の負荷を考慮する必要があった。
【０００５】
これは、ユーザにとって非常に煩雑であり、利便性の向上が望まれていた。
【先行技術文献】
【特許文献】
【０００６】
【特許文献１】特開2009-302981号公報
【発明の概要】
【発明が解決しようとする課題】
【０００７】
丸録りされたコンテンツの中から所望のコンテンツを再記録する際に、ユーザ自身が記録装置のリソースを考慮する必要があり、不便であるという課題があった。
【課題を解決するための手段】
【０００８】
実施形態の録画装置は、複数の放送番組に係る映像信号を同時に受信し、記録媒体に連続的に記録する第１の映像記録手段を備える。
また、予約に基づいて、前記記録媒体に記録された複数の放送番組の中から指定された所定の番組を抽出し、記録媒体に再記録する第２の映像記録手段を備える。
また、録画装置の動作に係る負荷のタイミングを予測する負荷予測手段を備え、所定の番組の再記録は、予測された録画装置の負荷のタイミングに基づいて行われるように構成している。
【図面の簡単な説明】
【０００９】
【図１】実施形態に係わる録画装置の構成を示すブロック図。
【図２】実施形態に係わる録画装置から出力される記録予約画面の一例を示す図。
【図３】実施形態に係わる録画装置に係り、記録予約データの表示例（記録予約一覧）を示す図。
【図４】実施形態に係わる録画装置に係り、録画処理と記録可能速度の関係の概略を説明する図。
【図５】実施形態に係わる録画装置に係り、学習データ構築に向けたデータ収集のようすを説明する図。
【図６】実施形態に係わる録画装置に係り、例えば受信した全放送局の番組を録画した際の、所定の番組を記録する記録予約のアルゴリズムを説明する図。
【図７】実施形態に係わる録画装置に係り、例えば受信した一部の放送局の番組の録画を停止した際の、番組を記録する記録予約のアルゴリズムを説明する図。
【図８】実施形態に係わる録画装置に係り、例えば一日24時間常時録画ではなく、24時間の一部の時間に番組を録画する際の、記録予約のアルゴリズムを説明する図。
【図９】実施形態に係わる録画装置に係り、例えば他の高負荷処理を実施することによる、記録処理の予測に変化が生じた際の状況を説明する図。
【図１０】実施形態に係わる録画装置に係り、記録予約時間を演算するための処理を説明するフローチャート。
【図１１】実施形態に係わる録画装置に係り、録画装置の負荷に変動が予想される場合に、記録予約を再構築するためのアルゴリズムを説明するフローチャート。
【図１２】実施形態に係わる録画装置が内蔵されたテレビの外観を示す図。
【発明を実施するための形態】
【００１０】
以下、図面を参照し、この発明の実施形態を説明する。
図１は、実施形態に係わる録画装置の構成を示すブロック図である。
符号１０は録画装置である。符号２１は録画装置１０の負荷を学習するためのデータが格納される学習データ格納部、符号２２は学習するためのデータを用いて録画装置１０の負荷を学習する学習部、符号２３は録画装置１０を制御する制御部である。
【００１１】
符号２４は複数の放送局から送信されるデジタル放送等の放送波を受信するデジタルチューナ、符号２５はデジタル放送で送信された映像データのフォーマット変換等を行う変換部、符号２６は、映像データの復調を行うVideo/Audio復調部である。
【００１２】
符号２７は映像信号等をここでは図示しない表示装置に向けて出力する出力部である。
符号２８は録画装置１０に内蔵された録画デバイスであり、例えばＨＤＤやＳＳＤで構成される。符号３２は、録画装置１０に外付けされた録画デバイスであり、同様に、例えばＨＤＤやＳＳＤで構成される。
【００１３】
符号２９は複数の放送番組の丸録りを制御するための録画部、符号３０は丸録りされた複数の放送番組の中から指定された所定の放送番組を記録するための記録部である。
【００１４】
ここでは、放送番組の丸録りを録画、丸録りされた複数の放送番組の中から指定された所定の番組の再記録を記録とする。
符号３１は録画装置１０に内蔵された記録用のデバイス、符号３３は、録画装置１０に外付けされた記録用のデバイスであり、同様に、例えばＨＤＤやＳＳＤで構成される。
【００１５】
後述するように、学習データ格納部２１には、録画装置１０の負荷を学習するためのデータが格納される。学習部２２は、学習データ格納部２１に格納されたデータを用いて録画装置１０の負荷を学習する。
【００１６】
デジタルチューナ２４は、図示しないアンテナ等を介して、複数の放送局から送信されるデジタル放送等の放送波を受信し、変換部２５へ出力する。変換部２５は、デジタル放送で送信された映像データのフォーマット変換等を行い、Video/Audio復調部２６、録画部２９、記録部３０へ出力する。
【００１７】
Video/Audio復調部２６は、入力された映像データ（音声データ含む）の復調を行い、出力部２７へ出力する。出力部２７は映像信号等を表示装置に向けて出力する。
【００１８】
録画デバイス（内蔵）２８、録画デバイス（外付け）３２は、録画部２９に接続し、丸録りに係る記録を行う。
また、記録デバイス（内蔵）３１、記録デバイス（外付け）３３は、記録部３０に接続し、予約された番組を丸録りされた番組の中から抽出し、記録する。
制御部２３は、複数の放送番組の丸録り、丸録りされた複数の放送番組を、予約に基づいて抽出し、記録媒体に再記録する処理、録画装置の動作に係る負荷のタイミングの予測等を制御する。
【００１９】
なお、この実施の形態においては、デジタルチューナ２４で放送波を受信し、変換部２５／録画部２９を経由した後に、録画デバイス２８または３２において録画処理を行う（丸録り）。
【００２０】
また、記録処理は、録画デバイス２８または３２から予約によって指定されたコンテンツを抽出し、変換部２５でフォーマット変換をした後に、記録部３０を経由し、記録デバイス３１または３３へコンテンツ（予約された放送番組）を記録する。
【００２１】
ここでは、録画処理と記録処理は並行して処理可能である。また、録画デバイス２８または３２、記録デバイス３１または３３の内蔵、外付けは特に問わない。また、録画デバイス（２８または３２）と記録デバイス（３１または３３）を一つのデバイスで構成することも可能である。
【００２２】
上記録画処理では、録画デバイス（２８または３２）の使用可能なデータ領域を、繰り返し上書きして使用し、放送される複数のコンテンツを連続して録画する。
尚、録画する時間帯や放送局は、ユーザによって適宜設定／変更可能である。
また、録画装置１０はテレビに内蔵されることも可能である。
図１２は、実施形態に係わる録画装置が内蔵されたテレビの外観を示す図である。
ここでは録画装置１０は、デジタルテレビジョン放送受信装置１１に内蔵される。デジタルテレビジョン放送受信装置１１は、キャビネット１３、キャビネット１３を支持する支持台１４から構成される。
【００２３】
キャビネット１３には、正面中央部に映像表示部としての液晶表示パネル１５が配置される。また、キャビネット１３には、その両側面にそれぞれスピーカ１６、１６が配置され、ステレオ音声で再生が行なえるように構成されている。
【００２４】
また、キャビネット１３には、その正面下部に、主電源スイッチ１７ａを含む操作部１７と、リモートコントローラ１８から送信される操作情報を受信するための受光部１９が配置される。なお、上記支持台１４は、キャビネット１３の底面中央部に回動自在に連結され、基台２０の水平面上に載置される。
【００２５】
図２は、実施形態に係わる録画装置から出力される記録予約画面の一例を示す図である。
上記のように、録画データは一定期間録画を行うことで上書きされるため、放送番組を丸録りしても、ある程度時間が経過すると、所望の録画番組が消されてしまう恐れがある。
【００２６】
そこで、この実施の形態においては、ユーザは丸録りされた番組の中に、保存しておきたいコンテンツがある場合、記録予約に基づいて、そのコンテンツを録画デバイス（２８または３２）から抽出し、記録デバイス（３１または３３）へ再記録する。
【００２７】
図２は、例えば表示装置１５に表示される記録予約画面の一例である。
ここでは、記録予約画面の各項目は次の通りである。
(1)は予約によって記録されたコンテンツの情報を示している。
ここでは、放送時刻：2011/2/22（金）、21:00-22:00、放送局名：Ａ、放送番組名：ドラマ番組１について、上記予約記録が設定されたことを示す例である。
【００２８】
(2)は予約記録が実行される予定時刻が表示されている。
ここでは、2011/2/23（金） 2:00 - 2011/2/23（金） 2:18に予約記録が実行されることを示している。
(3)は予測された録画装置10の負荷を考慮した、予約時刻における記録に要する推定時間が表示されている。ここでは、記録実行時刻から記録処理に要する時間を計算して表示される。記録可能時間。システムが記録処理に使用できる時間を計算して表示する。
【００２９】
(4)は録画デバイス（２８または３２）の記録残容量を考慮した記録可能時間が表示されている。
そして、上記予約記録を予約して良いかの選択表示（はい、いいえのどちらか）が、ユーザに選択される。
いいえが選択された場合、ユーザ指定オプションを構成しても良い。
(5)はユーザ指定オプションである。例えば、予約記録の実行時間は、ユーザの意図した時間に変更するように構成することも可能である。
この際、上記予約記録推定時間は、予測された録画装置10の負荷を考慮した、修正された予約時刻における記録に要する推定時間が再計算されて表示される。
図３は、実施形態に係わる録画装置に係り、記録予約データの表示例（記録予約一覧）を示す図である。
ここでは、上記記録予約に関する情報は、録画装置１０の内部（例えば制御部２３）に保存される。
また、ユーザは、録画装置１０に保存された記録予約に関する情報を表示装置に表示させ、確認することが可能である。
図３は、記録予約に関する情報を一覧表示させる記録予約一覧の表示例である。この記録予約一覧は、表示装置に表示される。
ここでは、番号、放送時間、放送局、放送番組名、データ上書き予定時間、記録予約時間、完了予定時間等の項目が一覧表示される。
また、符号５１はデータ上書き予定時間である。データ上書き予定時間５１は、予測された、複数の放送番組に係る映像信号を記録媒体に連続的に記録（丸録り）する際の、次の映像信号が記録媒体に上書きされるタイミングである。
【００３０】
データ上書き予定時間は、丸録りの動作を考慮して、制御部２３で予測される。
符号５２は記録予約時間である。記録予約時間５２は、上記のように推定された記録予約に要する時間である。
そして、ここでは、予測された上書きのタイミング（データ上書き予定時間５１）と再記録のタイミング（記録予約時間５２）を並べて表示可能に出力され、表示される。
【００３１】
例えば、番号１の記録予約は、放送時間：2011/2/22：  21:00-22:00、放送局Ａ、放送番組名：ドラマ番組１、丸録りデータに次にデータが上書きされるデータ上書き予定時間：2011/2/23：  22:00、記録予約時間：2011/2/23：  2:00、完了予定時間１８分である。
【００３２】
この表示からデータ上書き予定時間５１と記録予約時間５２を比較すると、丸録りデータに次にデータが上書きされる前に、予約記録が実行される予定であることがわかる。
【００３３】
尚、これらのデータは、実際の録画装置１０システムのリソースの状況によって、適宜再構築可能に構成される。また、ユーザが、記録完了一覧も参照できるように構成しても良い。
【００３４】
図４は、実施形態に係わる録画装置に係り、録画処理と記録可能速度の関係の概略を説明する図である。
図に示すように、録画装置１０に録画する放送局の数が少なくなると、制御部２３を含む録画装置１０システムのリソース使用量は低下する。また、システムのリソース使用量が減少することで、記録処理へ割り当てるリソースが増加する。このため、記録速度を高速にすることができる。
【００３５】
図５は、実施形態に係わる録画装置に係り、学習データ構築に向けたデータ収集のようすを説明する図である。
ここでは、録画装置１０が使用される頻度の低い時間帯を、録画装置１０が学習する。
録画装置１０が使用される頻度が高い、低い、の判定は例えば、予め保存されたしきい値と比較することで行われる。
ここで学習されたデータは、例えば、学習データ部２１に蓄積（記録）され、学習部２２で学習される。
この実施の形態においては、録画装置１０の負荷が低いときに記録処理を行うことで、リソースを効率よく利用することが可能となる。
このため、リソースの使用割合を、高い頻度でデータ収集して学習し、一定時間先の使用頻度の低い時間帯を予測し、記録処理に割り当てることが望ましい。
図６は、実施形態に係わる録画装置に係り、例えば受信した全放送局の番組を録画した際の、所定の番組を記録する記録予約のアルゴリズムを説明する図である。
録画装置１０のシステムは、放送予定データ(例えばEPGデータ)、学習データ、録画予定データおよび記録予定データから、リソースが有効活用可能な時間に、例えば空きリソースの多い時間を予測して、記録予約を行う。
【００３６】
また、ある放送局が放送休止しているときには録画すべき録画コンテンツがないことが考えられる。このような場合は、このある放送局分の録画処理を停止しても良い。
【００３７】
例えば、この録画停止処理により、システムに空きリソースが発生する。
また、丸録り等の、全放送局を常に録画している場合には、放送休止期間を優先して記録予約を行っても良い。
これにより、放送休止の放送局が多い時間帯には、より空きリソースが多くなることが考えられる。このため、より高速に記録処理を行うことが可能となる。
ただし、録画データが上書きされるまでに放送休止時間が無い場合には、現状のリソース内で、低速度でも記録処理を行うことが望ましい。
もしくは、学習データより、リソースの使用頻度の低い時間を選び、記録予約を行うように構成することも可能である。
図７は、実施形態に係わる録画装置に係り、例えば受信した一部の放送局の番組の録画を停止した際の、番組を記録する記録予約のアルゴリズムを説明する図である。
【００３８】
図に示すように、一部の放送局の録画を停止した場合も上記全放送局を録画した場合と同様に、空きリソースが多く発生する期間を優先して記録処理の予約を行うように構成可能である。
【００３９】
図８は、実施形態に係わる録画装置に係り、例えば一日24時間常時録画ではなく、24時間の一部の時間に番組を録画する際の、記録予約のアルゴリズムを説明する図である。
【００４０】
図に示すように、一部の時間のみ録画している場合も全放送局録画時と同様に、空きリソースが多く発生する期間を優先して記録処理の予約を行うように構成可能である。
【００４１】
図９は、実施形態に係わる録画装置に係り、例えば他の高負荷処理を実施することによる、記録処理の予測に変化が生じた際の状況を説明する図である。
図に示すように、記録処理中に他の高負荷処理(例えばネット動画の視聴、PVR録画の開始等)を実施することによって、空きリソースの状況に変化が生じた場合、予約の再構築を行うことが可能である。
【００４２】
また、他の処理により、記録処理を実施できないほど空きリソースが少なくなる場合、記録処理を一時停止することができる。
このとき、記録処理を一時中断して、他の高付加処理を行うかどうか、ユーザに情報を提示し、選択させても良い。
更に、予約の再構築を行った際、ユーザに、再構築が行われて記録処理時間が変更されたこと、予約の再構築により処理終了時刻が変更されたこと、等をユーザに提示しても良い。
【００４３】
図１０は、実施形態に係わる録画装置に係り、記録予約時間を演算するための処理を説明するフローチャートである。
この実施の形態においては、現在の時刻から記録を開始しても記録を完了できない場合は、記録不可と設定する。
また、それ以外の場合には、空きリソースが多く発生する期間を優先して、予約が重複しないように、録画装置１０の負荷のタイミングを予測して、記録予約データを作成する。
【００４４】
符号Ｓ１００は開始ステップである。続いて符合Ｓ１０１を付したステップへ進む。
符合Ｓ１０１は、丸録りされた複数の番組の中から、所定の番組の記録を予約するステップである。続いて符合Ｓ１０２を付したステップへ進む。
符合Ｓ１０２は、記録予約時間の演算を開始するステップである。続いて符合Ｓ１０３を付したステップへ進む。
符合Ｓ１０３は、記録するコンテンツのコンテンツ長を取得するステップである。続いて符合Ｓ１０４を付したステップへ進む。
符合Ｓ１０４は、記録予約一覧データを取得するステップである。続いて符合Ｓ１０５を付したステップへ進む。
符合Ｓ１０５は、現在のリソースで録画データが上書きされるまでに、記録処理が完了できるかを判断するステップである。現在のリソースで録画データが上書きされるまでに、記録処理が完了できると判断される場合は符合Ｓ１０７を付したステップへ進む（Ｙｅｓ）。現在のリソースで録画データが上書きされるまでに、記録処理が完了できないと判断される場合は符合Ｓ１０６を付したステップへ進む（Ｎｏ）。
【００４５】
符合Ｓ１０６は、予約記録を不可に設定するステップである。続いて符合Ｓ１１５を付したステップへ進む。
符合Ｓ１０７は、学習データを取得するステップである。続いて符合Ｓ１０８を付したステップへ進む。
符合Ｓ１０８は、録画データが上書きされるまでの間に、録画装置の使用頻度が低い時間があるかを判断するステップである。録画装置の使用頻度が低い時間があると判断される場合は、符合Ｓ１０９を付したステップへ進む（Ｙｅｓ）。録画装置の使用頻度が低い時間があると判断されない場合は、符合Ｓ１１０を付したステップへ進む（Ｎｏ）。
【００４６】
符合Ｓ１０９は、録画装置１０の使用頻度が低い時間にあわせて、予約記録の開始時刻を設定するステップである。続いて符合Ｓ１１０を付したステップへ進む。
符合Ｓ１１０は、ＥＰＧ等の放送予定データから放送休止時間を取得するステップである。続いて符合Ｓ１１１を付したステップへ進む。
符合Ｓ１１１は、録画データが上書きされるまでの間に放送休止時間があるかを判断するステップである。録画データが上書きされるまでの間に放送休止時間があると判断される場合は、符号Ｓ１１２を付したステップへ進む（Ｙｅｓ）。録画データが上書きされるまでの間に放送休止時間があると判断さない場合は、符号Ｓ１１３を付したステップへ進む（Ｎｏ）。
【００４７】
符合Ｓ１１２は、放送休止時間に合わせて、予約記録の開始時刻を設定するステップである。続いて符合Ｓ１１４を付したステップへ進む。
符合Ｓ１１３は、記録開始時刻が設定されていなければ現時刻を記録開始時刻に設定するステップである。続いて符合Ｓ１１４を付したステップへ進む。
符合Ｓ１１４は、記録予約データを生成するステップである。続いて符合Ｓ１１５を付したステップへ進む。
符合Ｓ１１５は、ここでの記録予約時間演算の終了ステップであり、ここでの処理は終了する。
図１１は、実施形態に係わる録画装置に係り、録画装置の負荷に変動が予想される場合に、記録予約を再構築するためのアルゴリズムを説明するフローチャートである。
【００４８】
この実施の形態においては、例えば、丸録りされた録画データが削除される順に、記録処理を行うように設定される。
符号Ｓ２００は記録予約再構築を開始するステップである。続いて符合Ｓ２０１を付したステップへ進む。
符合Ｓ２０１は、記録予約一覧データを取得するステップである。続いて符合Ｓ２０２を付したステップへ進む。
符合Ｓ２０２は、録画データが上書きされる順に、記録予約を並び替えるステップである。続いて符合Ｓ２０３を付したステップへ進む。
符合Ｓ２０３は、記録不可の予約が存在するかを判断するステップである。記録不可の予約が存在すると判断された場合は符号Ｓ２０４を付したステップへ進む（Ｙｅｓ）。記録不可の予約が存在すると判断されない場合は符号Ｓ２０５を付したステップへ進む（Ｎｏ）。
【００４９】
符合Ｓ２０４は、記録予約の再構築不可を設定るステップである。続いて符合Ｓ２０１を付したステップへ進み、上記処理が繰り返される。
符合Ｓ２０５は、記録予約の再構築を終了するステップである。
上記実施の形態においては、上記コンテンツの再記録に係る実際の処理時間を、ユーザが意識せずに、記録を実行することが可能となる。このため、ユーザの利便性を向上させることが可能となる。
【００５０】
なお、上記実施形態は、記述そのものに限定されるものではなく、実施段階では、その趣旨を逸脱しない範囲で、構成要素を種々変形して具体化することが可能である。
【符号の説明】
【００５１】
１０…録画装置、２１…学習データ格納部、２２…学習部、２３…制御部、２４…デジタルチューナ、２５…変換部、２６…Video/Audio復調部、２７…出力部、２８…内蔵された録画デバイス、３２…外付けされた録画デバイス、２９…丸録りのための録画部、３０…所定の番組を記録するための記録部、３１…内蔵された記録用のデバイス、３３…外付けされた記録用のデバイス。
【図１】
2011244269.tif 000003
【図２】
2011244269.tif 000004
【図３】
2011244269.tif 000005
【図４】
2011244269.tif 000006
【図５】
2011244269.tif 000007
【図６】
2011244269.tif 000008
【図７】
2011244269.tif 000009
【図８】
2011244269.tif 000010
【図９】
2011244269.tif 000011
【図１０】
2011244269.tif 000012
【図１１】
2011244269.tif 000013
【図１２】
2011244269.tif 000014
【手続補正書】
【提出日】平成22年5月31日(2010.5.31)
【手続補正１】
【補正対象書類名】図面
【補正対象項目名】図１２
【補正方法】変更
【補正の内容】
【図１２】
2011244269.tif 000015
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
放送番組を録画する録画装置において、
複数の放送番組に係る映像信号を同時に受信し、記録媒体に連続的に記録する第１の映像記録手段と、
予約に基づいて、前記記録媒体に記録された複数の放送番組の中から指定された所定の番組を抽出し、記録媒体に再記録する第２の映像記録手段と、
録画装置が使用される頻度を予め保存されたしきい値と比較することよって判定し、この判定結果に基づいて前記録画装置の動作に係る負荷のタイミングを予測する負荷予測手段を備え、
前記所定の番組の再記録は、前記予測された録画装置の負荷のタイミングに基づいて行われることを特徴とする録画装置。
【請求項２】
前記録画装置の負荷は、ユーザの使用頻度に基づいて予測されることを特徴とする請求項１に記載の録画装置。
【請求項３】
録画装置の動作に係る負荷のタイミング予測を適宜実施し、変更されたタイミングに基づいて前記所定の番組の再記録のタイミングを変更することを特徴とする請求項１に記載の録画装置。
【請求項４】
請求項１乃至３のいずれか一つに記載された録画装置に、さらに映像を表示する表示装置を備え、前記記録媒体に記録された映像を表示する映像表示装置。
【請求項５】
複数の放送番組に係る映像信号を同時に受信し、記録媒体に連続的に記録するステップと、
予約に基づいて、前記記録媒体に記録された複数の放送番組の中から指定された所定の番組を抽出し、記録媒体に再記録するステップと、
録画装置が使用される頻度を予め保存されたしきい値と比較することよって判定し、この判定結果に基づいて前記録画装置の動作に係る負荷のタイミングを予測するステップを備え、
前記所定の番組の再記録は、前記予測された録画装置の負荷のタイミングに基づいて行われることを特徴とする録画方法。
【請求項６】
前記録画装置の負荷は、ユーザの使用頻度に基づいて予測されることを特徴とする請求項５に記載の録画方法。
【手続補正２】
【補正対象書類名】明細書
【補正対象項目名】０００８
【補正方法】変更
【補正の内容】
【０００８】
実施形態の録画装置は、複数の放送番組に係る映像信号を同時に受信し、記録媒体に連続的に記録する第１の映像記録手段を備える。
また、予約に基づいて、前記記録媒体に記録された複数の放送番組の中から指定された所定の番組を抽出し、記録媒体に再記録する第２の映像記録手段を備える。
また、録画装置が使用される頻度を予め保存されたしきい値と比較することよって判定し、この判定結果に基づいて録画装置の動作に係る負荷のタイミングを予測する負荷予測手段を備え、所定の番組の再記録は、予測された録画装置の負荷のタイミングに基づいて行われるように構成している。